(57)【特許請求の範囲】
【請求項１】
複数の発電部と、電力線を介して前記発電部のそれぞれから送電される電力を合成するとともに変電し、電力を消費する需要所に電力を配電する変電部と、電力線を介して需要所に配電される電力を受電する受電部と、を備える電力システムであって、
前記発電部のそれぞれは、
前記複数の発電部のうち、いずれの発電部で発電された電力であるかを示すため、前記変電部に送電する電力の大きさに比例した電圧値を有し、かつ、前記発電部ごとに異なる周波数を有する認識信号を、前記変電部に送電する電力に入力する認識信号入力部を備え、
前記受電部は、
共振回路部を用いて、電力に入力された認識信号を共振させるとともに、共振により上昇した電圧値を計測する信号読取部と、
受電した電力において、前記発電部のそれぞれが発電した電力の割合である対比値を、計測した前記電圧値から算出する算出部と、
前記算出部が算出した対比値を表示する表示部と、を備えることを特徴とする電力システム。
【請求項２】
前記変電部は、前記認識信号を暗号化する暗号化部を備えるとともに、
前記受電部は、暗号化した前記認識信号を複号化する複号化部を備えることを特徴とする請求項１に記載の電力システム。
【請求項３】
複数の発電部が、変電部に送電する電力に、前記複数の発電部のうち、いずれの発電部で発電された電力であるかを示すため、認識信号を入力する認識信号入力部を有し、前記認識信号入力部が、変電部に送電する電力の大きさに比例した電圧値で、かつ、前記発電部ごとに異なる周波数を有する認識信号を、前記発電部のそれぞれが発電した電力に入力するとともに、前記変電部が、前記認識信号を入力した電力を合成するとともに変電し、電力を消費する需要所に配電した電力を受電する電力受電装置において、
共振回路部を用いて受電した電力に入力された認識信号を共振させるとともに、共振により上昇した電圧値を計測する信号読取部と、
受電した電力において、前記発電部のそれぞれが発電した電力の割合である対比値を、計測した前記電圧値から算出する算出部と、
前記算出部が算出した対比値を表示する表示部と、を備えることを特徴とする電力受電装置。
【請求項４】
複数の発電方法により電力を発電する発電工程と、
前記発電工程により発電された電力を合成する電力合成工程と、
前記電力合成工程により合成した電力を変電する変電工程と、
前記変電工程により変電した電力を消費する需要所に電力を配電する配電工程と、
前記配電工程により配電した電力を前記需要所で受電する受電工程と、を含む電力伝送方法において、
前記発電工程は、
前記複数の発電方法のうち、いずれの方法により発電された電力であるかを示すため、前記発電した電力の大きさに比例した電圧値を有するとともに、かつ、発電方法ごとに異なる周波数を有する認識信号を、前記発電工程により発電された電力に入力する工程を含み、
前記受電工程は、
共振回路部を用いて配電された電力に入力された前記認識信号を共振させる工程と、
前記共振により上昇した電圧値を計測する工程と、
配電された電力において、前記発電方法ごとに発電した電力の割合である対比値を、前記計測した電圧値から算出する工程と、
前記算出する工程で算出された対比値を表示する工程と、を備えることを特徴とする電力伝送方法。
【請求項５】
前記認識信号が入力した電力を合成するとともに変電する工程において、
前記変電した電力に入力する認識信号を暗号化する工程を含み、
配電された電力に入力された前記認識信号の周波数に共振させる工程において、
前記共振させる認識信号を複号化する工程を含むことを特徴とする請求項４に記載の電力伝送方法。
【発明の詳細な説明】
【技術分野】
【０００１】
本発明は、複数の発電所で発電された電力を送電する電力システムおよび電力伝送方法、並びにその電力を受電する電力受電装置に関する。
【背景技術】
【０００２】
現在、多くの発電所において、火力発電や水力発電、若しくは、原子力発電など、種種の発電方法により発電を行っている。そして、複数の発電所で発電された電力は、電力線を介して使用地域毎に設置される変電所に集められて昇圧又は降圧され、需要家または需要地である需要所に配電されている。
【先行技術文献】
【特許文献】
【０００３】
【特許文献１】特開２００２−５８１５９号公報
【発明の概要】
【発明が解決しようとする課題】
【０００４】
ここで、複数の発電所で発電された電力は、変電所に送電されて合成される。よって、需要者は、需要所に配電された電力がどのような発電方法により発電された電力であるかについて知ることができなかった。
【０００５】
また、近年、産業界において、発生するＣＯ２の削減化を図るため、ＣＯ２を発生しないグリーンエネルギーを使用することが社会的に望まれている。よって、発電においても、どのようなエネルギーを利用して生み出された電力を使用しているのかを、需要者が知ることができることについての要望が高くなってきている。
しかしながら、前記したように、需要者は、配電された電力の発電方法を知ることができなかったため、配電された電力がどのようなエネルギーを利用して発電されたかについても知ることができなかった。
【０００６】
そこで、本発明は、前記問題に鑑みて創案された発明であって、需要所で使用する電力において、発電方法の種別とその発電された電力が占める割合とを認識できる電力システムおよび電力伝送方法並びに電力受電装置を提供することを課題とする。
【課題を解決するための手段】
【０００７】
前記課題を解決するために、請求項１に係る電力システムは、複数の発電部と、電力線を介して前記発電部のそれぞれから送電される電力を合成するとともに変電し、電力を消費する需要所に電力を配電する変電部と、電力線を介して需要所に配電される電力を受電する受電部と、を備える電力システムであって、前記発電部のそれぞれは、前記複数の発電部のうち、いずれの発電部で発電された電力であるかを示すため、前記変電部に送電する電力の大きさに比例した電圧値を有し、かつ、前記発電部ごとに異なる周波数を有する認識信号を、前記変電部に送電する電力に入力する認識信号入力部を備え、前記受電部は、共振回路部を用いて、電力に入力された認識信号の周波数に共振させるとともに、共振により上昇した電圧値を計測する信号読取部と、受電した電力において、前記発電部のそれぞれが発電した電力の割合である対比値を、計測した前記電圧値から算出する算出部と、前記算出部が算出した対比値を表示する表示部と、を備えることを特徴とする。
【０００８】
請求項１に記載の電力システムによれば、発電部から送電される電力ごとに入力された認識信号は、発電部ごとに異なる周波数を有しているため、受電部において、認識信号のそれぞれを共振させることにより、それぞれの認識信号の電圧を上昇させることができる。
ここで、認識信号の電圧の大きさは、発電部により発電された電力の大きさに比例している。よって、算出部により算出される対比値は、使用される電力において、それぞれの認識信号が有する電圧の比であって、発電部ごとに発電された電力の比である。
したがって、算出部が算出した対比値を表示部が表示すれば、消費した電力において、電力を発電した発電部についてと、その発電部ごとが発電した電力の占める割合を認識することができる。
【０００９】
また、請求項２に記載の電力システムは、前記変電部は、前記認識信号を暗号化する暗号化部を備えるとともに、前記受電部は、暗号化した前記認識信号を複号化する複号化部を備えることを特徴とする。
【００１０】
ここで、認識信号が高周波であり、かつ、低周波の電力を配電することを目的として設置された電力線を利用して需要所に配電した場合、その電力線がアンテナとして作用し、認識情報が電磁波として漏れる可能性がある。
しかしながら、請求項２に記載の発明によれば、変電部から需要所に配電する場合に、認識方法を暗号化して配電するため、前記する認識情報が電磁波として漏れることがあっても、その情報内容を知られる危険を小さくすることができる。
【００１１】
また、請求項３に記載の電力受電装置は、複数の発電部が、変電部に送電する電力に、前記複数の発電部のうち、いずれの発電部で発電された電力であるかを示すため、認識信号を入力する認識信号入力部を有し、前記認識信号入力部が、変電部に送電する電力の大きさに比例した電圧値で、かつ、前記発電部ごとに異なる周波数を有する認識信号を、前記発電部のそれぞれが発電した電力に入力するとともに、前記変電部が、前記認識信号を入力した電力を合成するとともに変電し、電力を消費する需要所に配電した電力を受電する電力受電装置において、共振回路部を用いて受電した電力に入力された認識信号の周波数に共振させるとともに、共振により上昇した電圧値を計測する信号読取部と、受電した電力において、前記発電部のそれぞれが発電した電力の割合である対比値を、計測した前記電圧値から算出する算出部と、前記算出部が算出した対比値を表示する表示部と、を備えることを特徴とする。
【００１２】
請求項３に記載の電力受電装置によれば、受電した電力に、発電部ごとに異なる周波数を有する認識信号が入力されているので、認識信号のそれぞれを共振させれば、それぞれの認識信号の電圧の上昇値を得ることができる。
ここで、認識信号の電圧の大きさは、発電部により発電された電力の大きさに比例している。よって、算出部により算出される対比値は、使用される電力において、それぞれの認識信号が有する電圧の比であって、発電部ごとに発電された電力の比である。
したがって、算出部が算出した対比値を表示部が表示すれば、消費した電力において、電力を発電した発電部についてと、その発電部ごとが発電した電力の占める割合を認識することができる。
【００１３】
また、請求項４に記載の電力伝送方法は、複数の発電方法により電力を発電する発電工程と、前記発電工程により発電された電力を合成する電力合成工程と、前記電力合成工程により合成した電力を変電する変電工程と、前記変電工程により変電した電力を消費する需要所に電力を配電する配電工程と、前記配電工程により配電した電力を前記需要所で受電する受電工程と、を含む電力伝送方法において、前記発電工程は、前記複数の発電方法のうち、いずれの方法により発電された電力であるかを示すため、前記発電した電力の大きさに比例した電圧値を有するとともに、かつ、発電方法ごとに異なる周波数を有する認識信号を、前記発電工程により発電された電力に入力する工程を含み、前記受電工程は、共振回路部を用いて配電された電力に入力された前記認識信号の周波数に共振させる工程と、前記共振により上昇した電圧値を計測する工程と、配電された電力において、前記発電方法ごとに発電した電力の割合である対比値を、前記計測した電圧値から算出する工程と、前記算出する工程で算出された対比値を表示する工程と、を備えることを特徴とする。
【００１４】
請求項４に記載の電力伝送方法によれば、発電工程で発電した電力に、発電方法ごとに異なる周波数を有する認識信号が入力しているため、共振回路部により、認識信号を共振させれば、それぞれの認識信号の電圧を上昇させることができる。
そして、認識信号ごとの電圧の上昇値を対比させて、算出した対比値は、消費される電力において、それぞれの認識信号が有する電圧の比であって、各発電方法別に発電された電力の比である。
したがって、算出する工程により算出された対比値を表示することにより、消費した電力がいずれの発電方法により発電された電力であるかについてと、発電方法ごとに発電された電力の占める割合を認識することができる。
【００１５】
また、請求項５に記載の電力伝送方法は、前記認識信号が入力した電力を合成するとともに変電する工程において、前記変電した電力に入力する認識信号を暗号化する工程を含み、配電された電力に入力された前記認識信号の周波数に共振させる工程において、前記共振させる認識信号を複号化する工程を含むことを特徴とする。
【００１６】
請求項５に記載の発明によれば、電力を配電する場合に、認識方法を暗号化して配電するため、認識情報が電磁波として漏れる可能性を回避することができる。
【発明の効果】
【００１７】
以上、本発明によれば、需要所で使用する電力において、発電方法の種別とその発電された電力が占める割合とを認識できる電力システムおよび電力伝送方法並びに電力受電装置を提供することができる。
【００１８】
また、本発明によれば、発電方法の種別を認識することにより、電力を生成するにあたり利用されるエネルギーについて知ることが可能となる。
ひいては、ＣＯ２を発生する火力発電を使用していないこと、つまり、グリーンエネルギーのみを使用して発電を行なっていることを需要者が認識することができ、「ＣＯ２Ｚｅｒｏ  Ｅｍｉｓｓｉｏｎ」についての証明が可能となる。
【図面の簡単な説明】
【００１９】
【図１】本発明の実施形態に係る電力システムの構成を示す構成図である。
【図２】本発明の実施形態に係る発電部の構成を示す構成図である。
【図３】本発明の実施形態に係る変電部の構成を示す構成図である。
【図４】本発明の実施形態に係る受電部の構成を示す構成図である。
【図５】本発明の実施形態に係る電圧計測部の計測結果と算出部の算出結果とを示す図である。
【発明を実施するための形態】
【００２０】
本発明の実施形態による電力システム１について、図面を参照しながら説明をする。なお、実施形態の説明において、同一の要素には同一の符号を付している。
【００２１】
（電力システム１）
電力システム１は、需要所で消費される電力を発電するとともに、需要所において、その発電された電力を受電するとともに、受電した電力における発電方法の種別とその発電された電力が占める割合とを表示するための機構である。
具体的に、実施形態の電力システム１は、図１に示すように、発電するとともに発電された電力に認識信号を入力し、送電線１５を介して変電部２０への送電を行う発電部１０と、送電された電力における電圧の昇圧・降圧を行い、需要所２に配電線１６を介して配電を行う変電部２０と、需要所２に配電された電力から認識信号を読み取り、使用する電力がいずれの発電部１０により発電された電力であるかを認識する受電部３０とから構成される。
【００２２】
（発電部１０）
図１に示すように、発電部１０は複数からなり、変電部２０に電力を送電するために、様々な発電方法により発電している。本実施形態においては、火力により発電を行う火力発電部１０Ａと、水車が回転する力により発電する水力発電部１０Ｂと、ウランが核分裂するときに出す熱エネルギーを利用する原子力発電部１０Ｃとの複数の発電部１０を備えている。
また、火力発電部１０Ａと水力発電部１０Ｂと原子力発電部１０Ｃのそれぞれは、図２に示すように、各々の発電方法により発電を行う発電装置１１と、その発電装置１１により発電された電力に認識信号を入力する認識信号入力部１２とを備えている。
以下において、火力発電部１０Ａと水力発電部１０Ｂと原子力発電部１０Ｃの詳細について説明する。
【００２３】
火力発電部１０Ａは、図２に示すように、発電を行う火力発電装置１１Ａと、認識信号入力部１２Ａとを備えている。火力発電装置１１Ａは、化石燃料で石炭・石油・天然ガスを燃焼させて水を蒸気に変え、この蒸気の力でタービンを回すことにより発電を行い、電力ｗ１を生成している。また、火力発電装置１１Ａは、石炭・石油・天然ガスを燃焼させた際に、二酸化炭素が発生する。そして、火力発電装置１１Ａは、発電した電力ｗ１を交流に変換し、電力線を介して、認識信号入力部１２Ａに送電する。なお、認識信号入力部１２Ａについての説明は、他の認識信号入力部１２Ｂと認識信号入力部１２Ｃと併せて後記する。
【００２４】
水力発電部１０Ｂは、図２に示すように、高い所から落ちてくる水の勢いで水車を回し、その水車が回転する力で発電して電力ｗ２を生成する水力発電装置１１Ｂと、電力ｗ２に認識信号Ｂを入力する認識信号入力部１２Ｂとを備えている。
【００２５】
また、原子力発電部１０Ｃは、図２に示すように、ウランが核分裂するときに出す熱エネルギーを利用して蒸気をつくり、その蒸気の力でタービンを回して発電し、電力ｗ３を生成する原子力発電装置１１Ｃと、その電力ｗ３に認識信号Ｃを入力する認識信号入力部１２Ｃとを備えている。
【００２６】
認識信号入力部１２Ａ〜１２Ｃは、図２に示すように、各発電装置１１Ａ〜１１Ｃにより発電された電力ｗ１〜ｗ３を識別するため、各発電装置１１Ａ〜１１Ｃにより発電された電力ｗ１〜ｗ３に認識信号Ａ〜Ｃの入力を行う。
ここで、認識信号入力部１２Ａが入力する認識信号Ａは、図２に示すように、ｙ１＝Ａｓｉｎｘｔ（Ｖ）であり、認識信号入力部１２Ｂが入力する認識信号Ｂは、ｙ２＝Ｂｓｉｎ２ｘｔ（Ｖ）であり、認識信号入力部１２Ｃが入力する認識信号Ｃは、ｙ３＝Ｃｓｉｎ３ｘｔ（Ｖ）であって、それぞれ周波数が異なる。なお、ｘは角速度を示し、ｔは時間を示す。
また、認識信号Ａ〜Ｃの電圧値Ａ、Ｂ、Ｃ（Ｖ）は、各発電装置１１により発電された電力の大きさに比例している。なお、図２に示す認識信号Ａ〜Ｃを示す図は、ｙ１のみを示したものであって、認識信号Ａ〜Ｃが入力される電力ｗ１〜ｗ３における電圧を無視したものである。以降、認識信号を示す図において、入力される電力の電圧を無視して図示する。また、発電装置１１Ａ〜１１Ｃから発電される電力は低周波であるため、これと区別するため、認識信号Ａ、Ｂ、Ｃは高周波であることが望ましい。
【００２７】
（変電部２０）
変電部２０は、図３に示すように、火力発電部１０Ａ、水力発電部１０Ｂ、原子力発電部１０Ｃから送電される電力ｗ１〜ｗ３を受けて合成する合成部２１と、合成後の電力Ｗの変電を行う変圧部２２と、変電後の電力Ｗ１を暗号化する暗号化部２３とを備える。
【００２８】
合成部２１は、電力線である送電線１５を介して、火力発電部１０Ａと水力発電部１０Ｂと原子力発電部１０Ｃとから送電される電力ｗ１〜ｗ３の合成を行い、電力Ｗを生成する。また、合成部２１により電力ｗ１〜ｗ３が合成されるため、電力ｗ１〜ｗ３に入力された認識信号Ａ〜Ｃも合成される。よって、合成後の認識信号Ｄは、Ｙ＝Ａｓｉｎｘｔ＋Ｂｓｉｎ２ｘｔ＋Ｃｓｉｎ３ｘｔ（Ｖ）となる。
【００２９】
変圧部２２は、三相変圧器を備えており、発電部１０から送電される電力の電圧を下げるとともに、需要所２において使用される家電機器の所定の使用周波数帯域に変換を行う。
また、三相変圧器により変電を行うため、合成部２１で合成された電力Ｗは、位相が１２０度ずつずれた三相交流波の電力Ｗ１〜Ｗ３に変換される。
そして、合成部２１によって合成された電力Ｗに入力されている認識信号Ｄも電圧比（Ａ：Ｂ：Ｃ）を保ったまま、変電される。
具体的には、電力Ｗ１に入力される認識信号Ｄ１は、Ｙ１＝Ａ´ｓｉｎＸｔ＋Ｂ´ｓｉｎ２Ｘｔ＋Ｃ´ｓｉｎ３Ｘｔ（Ｖ）となる。また、電力Ｗ２に入力される認識信号Ｄ２は、Ｙ２＝Ａ´ｓｉｎ（Ｘｔ−２π／３）＋Ｂ´ｓｉｎ（２Ｘｔ−２π／３）＋Ｃ´ｓｉｎ（３ＸＴ−２π／３）（Ｖ）となる。また、電力Ｗ３に入力される認識信号Ｄ３は、Ｙ３＝Ａ´ｓｉｎ（Ｘｔ−４π／３）＋Ｂ´ｓｉｎ（２Ｘｔ−４π／３）＋Ｃ´ｓｉｎ（３Ｘｔ−４π／３）（Ｖ）という信号になる。なお、Ａ´、Ｂ´、Ｃ´（Ｖ）は変圧後の電圧を示し、Ｘは変圧後の角速度を示す。
【００３０】
暗号化部２３は、図３に示すように、ハッシュ値αを生成するハッシュ値生成部２４と、認識信号Ｄ１の変調を行う第１変調部２５と、変調で使用したハッシュ値を受信部３１ａに送信する送信部２６とから構成されており、電力Ｗ１〜Ｗ３のうち電力Ｗ１に入力された認識信号Ｄ１の波形を変調して、認識信号Ｄ１の暗号化を行う。
ハッシュ値生成部２４は、電力Ｗ１に入力された認識信号Ｄ１を基にハッシュ関数により生成されたハッシュ値αの生成を行う。
また、第１変調部２５は、図３に示すように、ハッシュ値生成部２４により得られたハッシュ値α分だけ、Ｙ１＝Ａ´ｓｉｎＸｔ＋Ｂ´ｓｉｎ２Ｘｔ＋Ｃ´ｓｉｎ３Ｘｔ（Ｖ）の位相を遅らせて認識信号Ｄ１を変調し、認識信号Ｄ１´（Ｙ１＝Ａ´ｓｉｎ（Ｘｔ−α）＋Ｂ´ｓｉｎ（２Ｘｔ−α）＋Ｃ´ｓｉｎ（３Ｘｔ−α）（Ｖ））を生成する。
送信部２６は、ハッシュ値生成部２４により生成されたハッシュ値αを、受信部３１ａに送信する。また、送信方法は、受信部３１ａにハッシュ値を送信できれば、特に限定されるものでなく、有線若しくは無線であってもよい。
【００３１】
配電線１６は、変電部２０から需要所２へ電力を配電するための電力線であって、前記した三相交流波の電力Ｗ１〜Ｗ３のそれぞれを配電する３本の電力線から構成されている。
【００３２】
（受電部３０）
受電部３０は、図４に示すように、配電線１６を介して、配電される電力Ｗ１〜Ｗ３のうち電力Ｗ１に入力される認識信号Ｄ１´の複号化を行う複号化部３１と、複合化された認識信号Ｄ１から認識信号Ａ〜Ｃを読み取る信号読取部３２と、電力Ｗ１における各発電部１０から発電された各電力ｗ１〜ｗ３が占める割合を算出する算出部３５と、算出部３５により算出された電力ｗ１〜ｗ３が占める割合を表示部３６とを備える。なお、受電部３０は、特許請求の範囲に記載される「電力受電装置」に相当する構成である。
【００３３】
複号化部３１は、暗号化部２３の送信部２６から送信されたハッシュ値αを受信する受信部３１ａと、受信部３１ａが受信したハッシュ値αをもとにＷ１に入力された認識信号Ｄ１´の変調を行う第２変調部３１ｂとを備えている。
第２変調部３１ｂは、受信部３１ａが受信したハッシュ値αを基に、図４に示すように、認識信号Ｄ１´（Ｙ１＝Ａ´ｓｉｎ（Ｘｔ−α）＋Ｂ´ｓｉｎ（２Ｘｔ−α）＋Ｃ´ｓｉｎ（３Ｘｔ−α）（Ｖ））の位相を早めて変調し、認識信号Ｄ１（Ｙ１＝Ａ´ｓｉｎＸｔ＋Ｂ´ｓｉｎ２Ｘｔ＋Ｃ´ｓｉｎ３Ｘｔ（Ｖ））を生成する。
【００３４】
信号読取部３２は、認識信号Ａ〜Ｃに共振する共振回路部３３と、共振回路部３３と需要所２に配電された電力Ｗ１における電圧値を測定する電圧計測部３４を備えている。
【００３５】
共振回路部３３は、電力Ｗ１に入力された認識信号Ｄ１から、認識信号Ａ〜Ｃを読み取るための共振回路である。具体的には、共振回路部３３は、認識信号Ａを読み取るための火力発電共振回路と、認識信号Ｂを読み取るための水力発電共振回路と、認識信号Ｃを読み取るための原子力発電共振回路とを備えている。
ここで、認識信号入力部１２Ａ〜１２Ｃにより入力された認識信号Ａ〜Ｃは、変圧部２２により変調している。よって、火力発電共振回路部は、変調後の認識信号Ａであるｙ１（＝ｓｉｎＸｔ）に対応する共振回路であり、また、火力発電共振回路部は、変調後の認識信号Ｂであるｙ２（＝ｓｉｎ２Ｘｔ）に対応する共振回路であり、原子力発電共振回路部は、変調後の認識信号Ｃであるｙ３（＝ｓｉｎ３Ｘｔ）に対応する共振回路である。
これによれば、例えば、電力Ｗ１に変調後の認識信号Ａ（ｙ１＝ｓｉｎＸｔ）が入力されていれば、火力発電共振回路部が共振し、変調後の認識信号Ａであるｙ１の電圧が上昇する。ここで、上昇する電圧値は、変調後の認識信号Ａであるｙ１の電圧値Ａの大きさに比例する。なお、共振回路部３３の末端側には、図４に示すように、電源装置が設けられており、この電源装置に電気機器製品を電気的接続することにより、電力を使用することができる。
なお、共振回路部３３は、構成する火力発電共振回路部と火力発電共振回路部と原子力発電共振回路部が、変調後の認識信号Ａ〜Ｃを共振させることができるように、予め認識信号Ａ〜Ｃを共振させるため共振数のデータとそのデータを記憶する記憶部を備えていてもよい。
【００３６】
また、電圧計測部３４は、電圧値の計測を行う。より具体的には、電圧計測部３４は、需要所２に配電される電力Ｗ１の電圧Ｖ０と、共振回路部３３を構成する火力発電共振回路部の電圧Ｖ１と、水力発電共振回路部の電圧Ｖ２と、原子力発電共振回路部の電圧Ｖ３とを計測する。
【００３７】
算出部３５は、電圧計測部３４により計測された電圧Ｖ０〜Ｖ３により、需要所２に配電された電力において、各発電部で発電された電力が占める割合の算出を行う。
具体的には、共振回路部３３を構成する火力発電共振回路部と水力発電共振回路部と、原子力発電共振回路部とで計測された電圧Ｖ１〜Ｖ３の値から、電力Ｗ１の電圧Ｖ０の値を引き、共振回路部で共振により上がった電圧Ｖ１´〜Ｖ３´を算出する。次に、電圧Ｖ１´〜Ｖ３´の対比を行う。
これにより、電力Ｗ１に入力された認識信号Ａ〜Ｃの電圧値の対比値である、Ａ´：Ｂ´：Ｃ´（Ｖ）を算出することができる。そして、この対比値であるＡ´：Ｂ´：Ｃ´は、火力発電部１０Ａと水力発電部１０Ｂと原子力発電部１０Ｃとが発電する電力ｗ１〜ｗ３に比例している。つまり、算出部３５により算出された対比値は、電力Ｗ１の中で、電力ｗ１〜ｗ３のそれぞれが占める割合である。
【００３８】
表示部３６は、ブラウン管若しくは液晶ディスプレイ（Ｌｉｑｕｉｄ  Ｃｒｙｓｔａｌ  Ｄｉｓｐｌａｙ）であり、算出部３５が算出した対比値の表示を行い、需要者に視認できるように表示する。
【００３９】
次に、電力システム１の動作方法を、図２〜図５を用いて説明する。
【００４０】
（発電工程）
まず、火力発電部１０Ａにおける火力発電装置１１Ａが発電を行う。同様に、水力発電部１０Ｂにおける水力発電装置１１Ｂと、と原子力発電部１０Ｃにおける原子力発電装置１１Ｃにより発電を行う。
ここで、火力発電装置１１Ａにより発電された電力ｗ１は、１００万ｋＷであるとし、水力発電装置１１Ｂにより発電された電力ｗ２は、６０万ｋＷとし、原子力発電装置１１Ｃにより発電された電力ｗ３は、４０万ｋＷとする。
【００４１】
（認識信号入力工程）
つぎに、認識信号入力部１２Ａ〜１２Ｃは、電力ｗ１〜ｗ３に、認識信号Ａ〜Ｃを入力する。ここで、火力発電装置１１Ａと水力発電装置１１Ｂと原子力発電装置１１Ｃが発電した電力量の比は、５：３：２である。よって、認識信号Ａは、ｙ１＝５ｓｉｎｘｔ（Ｖ）であり、認識信号Ｂは、ｙ２＝３ｓｉｎ２ｘｔ（Ｖ）であり、認識信号Ｃは、ｙ３＝２ｓｉｎ３ｘｔ（Ｖ）となる。
【００４２】
（電力合成工程）
つぎに、火力発電部１０Ａと水力発電部１０Ｂと原子力発電部１０Ｃにおいて発電された電力ｗ１〜ｗ３は、図３に示すように、変電部２０の合成部２１に送電される。そして、合成部２１が電力ｗ１〜ｗ３を合成し、電力Ｗが生成される。
ここで、総電力はＷ２００万ｋＷであり、電力ｗ１〜ｗ３のそれぞれが占める割合は、ｗ１：ｗ２：ｗ３＝５：３：２である。また、認識信号Ａ〜Ｃの合成後の認識信号Ｄは、Ｙ＝５ｓｉｎｘｔ＋３ｓｉｎ２ｘｔ＋２ｓｉｎ３ｘｔ（Ｖ）となる。
【００４３】
（変電工程）
つぎに、変圧部２２により、電力Ｗを変電し、電力Ｗ１〜Ｗ３の三相交流を生成する。また、電力Ｗに入力された認識信号Ｄも電圧比を保ったまま変電される。ここで、電力Ｗ１に入力された認識信号Ｄ１は、Ｙ１＝５ｇｓｉｎＸｔ＋３ｇｓｉｎ２Ｘｔ＋２ｇｓｉｎ３Ｘｔ（Ｖ）となる。なお、認識信号Ｄ１に示される「ｇ」は変数である。また、電力Ｗ２、Ｗ３に入力される認識信号Ｄ２、Ｄ３の説明は省略する。
【００４４】
（暗号化工程）
次に、暗号化部２３のハッシュ値生成部２４は、電力Ｗ１に入力された認識信号Ｄ１から、ハッシュ値αを算出する。そして、第１変調部２５が電力Ｗ１に入力された認識信号Ｄ１のハッシュ値αの分だけ、位相を遅れるように変調するとともに、送信部２６は、ハッシュ値αを受信部３１ａに送信を行う。これにより、電力Ｗ１に入力された認識信号Ｄ１´は、Ｙ１´＝５ｇｓｉｎ（Ｘｔ−α）＋３ｇｓｉｎ（２Ｘｔ−α）＋２ｇｓｉｎ（３Ｘｔ−α）（Ｖ）となる。
【００４５】
（配電工程）
変電部２０により変電された電力Ｗ１〜Ｗ３は、配電線１６を介して、受電部３０の複号化部３１に配電される。
【００４６】
（受電工程と複号化工程）
まず、第２変調部３１ｂは、配電された電力Ｗ１〜Ｗ３を受電する。また、受信部３１ａは、送信部２６から送信されたハッシュ値αを受信し、ハッシュ値αを第２変調部３１ｂに送信する。
そして、第２変調部３１ｂは、配電された電力Ｗ１に入力された認識信号Ｄ１´を、ハッシュ値αを基に変調を行う。これにより、電力Ｗ１に入力された認識信号Ｄ１´は、Ｙ１＝５ｇｓｉｎＸｔ＋３ｇｓｉｎ２Ｘｔ＋２ｇｓｉｎ３Ｘｔ（Ｖ）となる。
【００４７】
（共振工程）
そして、信号読取部３２の共振回路部３３は、電力Ｗ１に入力された入力認識信号Ｄ１を共振回路において共振させる。
具体的には、共振回路部３３の火力発電共振回路において、Ｙ１の５ｇｓｉｎＸｔに相当する波形が共振し、共振回路部３３の水力発電共振回路において、Ｙ２の３ｇｓｉｎ２Ｘｔに相当する波形が共振し、共振回路部３３の原子力発電共振回路において、Ｙ３の２ｇｓｉｎ３Ｘｔに相当する波形が共振することとなる。
【００４８】
（計測工程）
電圧計測部３４は、電力Ｄ１の電圧Ｖ０を計測するとともに、共振回路部３３の火力発電共振回路と水力発電共振回路と原子力発電共振回路の電圧Ｖ１〜Ｖ３を計測する。ここで、図５に示すように、電圧Ｖ０は１００Ｖであり、電圧Ｖ１は２００Ｖであり、電圧Ｖ２は１６０Ｖであり、電圧Ｖ３は１４０Ｖである。
【００４９】
（算出工程）
算出部３５は、電圧計測部３４により計測された電圧Ｖ０〜Ｖ４を基に、共振による電圧の上昇値を算出する。具体的には、共振した場合の電圧Ｖ１〜Ｖ３の値から共振していない状態の電圧値であるＶ０の値を引いて共振による上昇値Ｖ１´〜Ｖ３´を求める。なお、上昇値Ｖ１´〜Ｖ３´は、図５に示すように、上昇値Ｖ１´は１００Ｖであり、上昇値Ｖ２´は６０Ｖであり、上昇値Ｖ３´は４０Ｖである。
つぎに、算出部３５は、共振により上昇値Ｖ１´〜Ｖ３´を対比し、対比値を求める。なお、対比値は、図５に示すように、Ｖ１´：Ｖ２´：Ｖ３´＝５：３：２である。
以上より、算出部３５によって、認識信号Ａ〜Ｃの設定された電圧Ａ´：Ｂ´：Ｃ´（Ｖ）の比を導出することができる。
【００５０】
（表示工程）
そして、算出部３５に算出された対比値（Ａ：Ｂ：Ｃ＝５：３：２）を表示部３６に表示する。
これにより、火力発電部１０Ａで発電された電力が５割を占めることを認識することが可能となる。また、消費した電力の発電に使用したエネルギーが化石燃料であることを認識することが可能となる。
【００５１】
以上、実施形態の電力システム１によれば、利用者は、使用する電力における、発電方法の種別とその発電された電力が占める割合とを知ることが可能となる。
また、利用者は、発電方法を知ることができるため、使用する電力に利用されたエネルギーについても知ることが可能となり、使用する電力がＣＯ２を発生する火力発電により発電された電力を使用しているか否かについての認識が可能となる。
つまり、実施形態の電力システム１によれば、グリーンエネルギーのみを使用していることを需要者が認識できるとともに、ＣＯ２Ｚｅｒｏ  Ｅｍｉｓｓｉｏｎを証明することが可能となる。
【００５２】
また、本発明は、実施形態で説明した電力システム１に限るものでない。
たとえば、表示装置３６には、使用する家庭用電気機械器具の消費する電力が入力されると、算出部が算出した対比値から、その家庭用電気機械器具の発電方法別の消費電力を算出し表示する機能を有していてもよい。
【００５３】
そのほか、例えば、実施形態においては、発電部１０は、火力発電部１０Ａと水力発電部１０Ｂと原子力発電部１０Ｃだけであったが、その他、風力により発電する風力発電部や太陽の熱エネルギーを利用した太陽光発電部、空気による空気発電、水素発電、超伝導発電、地熱発電を増やしても良い。この場合、風力発電部や太陽光発電部にも、認識信号入力部を備えることが必要であるとともに、共振回路部３３は、増えた認識信号入力部に対応した、風力発電共振回路部と太陽光共振回路部とを備える必要がある。
【００５４】
また、実施形態の電力システム１は、使用する電力において、電力発電方法別の割合を示した、本発明はこれに限らず、火力発電と非火力発電との電力の割合を示すものであってもよい。
この場合、認識信号入力部１２Ａ〜１２Ｃは、認識信号Ａの周波数と認識信号Ｂ、Ｃとが異なる周波数であって、かつ、認識信号Ｂ、Ｃが同じ周波数であればよい。また、共振回路部３３は、認識信号Ａと、認識信号Ｂ、Ｃとの２種類に共振できればよい。
【符号の説明】
【００５５】
１      電力システム
２      需要所
１０、１０Ａ〜１０Ｃ  発電部
１１、１１Ａ〜１１Ｃ  発電装置
１２、１２Ａ〜１２Ｃ  認識信号入力部
１５    送電線
１６    配電線
２０    変電部
２１    合成部
２２    変圧部
２３    暗号化部
２４    ハッシュ値生成部
２５    第１変調部
２６    送信部
３０    受電部
３１    複号化部
３１ａ  受信部
３１ｂ  第２変調部
３２    信号読取部
３３    共振回路部
３４    電圧計測部
３５    算出部
３６    表示部
【図１】
0005457857.tif 000002
【図２】
0005457857.tif 000003
【図３】
0005457857.tif 000004
【図４】
0005457857.tif 000005
【図５】
0005457857.tif 000006